(57)【要約】【課題】バルーンのリラップ精度が向上し、体内への再挿入を容易にすることができるとともに、フラッシング時にシャフト及びバルーンに付着した余分な生理食塩液を拭い取ることが可能であるリラップ装置及びバルーンカテーテルを提供すること。【解決手段】略円筒状に形成され、本体（１Ｈ）の両端部または一端部に拡径部（１Ｋ）を形成し、潤滑性及び柔軟性のある材料で形成し、本体（１Ｈ）の一端部を、バルーンカテーテル（１０）のシャフト（３）の保護カバー（４）端部に圧入して、着脱できるように形成したリラップ装置（１）。【選択図】図１
0003115667.tif 000002
【実用新案登録請求の範囲】
【請求項１】
略円筒状に形成され、本体（１Ｈ）の両端部または一端部に拡径部（１Ｋ）を形成し、
潤滑性及び柔軟性のある材料で形成し、
本体（１Ｈ）の一端部を、バルーンカテーテル（１０）のシャフト（３）の保護カバー（４）端部に圧入して、着脱できるように形成したことを特徴とするリラップ装置（１）。
【請求項２】
略円筒状に形成され、本体（１Ｈ）の両端部または一端部に拡径部（１Ｋ）を形成し、
潤滑性及び柔軟性のある材料で形成し、
前記拡径部（１Ｋ）の一端部に、バルーンカテーテル（１０）のコネクタ（４）に形成したフック（６）を係止して、着脱できるように形成したことを特徴とするリラップ装置（１）。
【請求項３】
略円筒状に形成され、本体（１Ｈ）の両端部または一端部に拡径部（１Ｋ）を形成し、
潤滑性及び柔軟性のある材料で形成し、
リラップ装置（１）の本体（１Ｈ）ないし拡径部（１Ｋ）の内側に、嵌合部ないし係合部を形成し、当該嵌合部ないし係合部を、保護カバー（５）先端部の嵌合部ないし係合部と嵌合ないし係合して、着脱できるように形成したことを特徴とするリラップ装置（１）。
【請求項４】
内面を潤滑剤でコーティングしたことを特徴とする請求項１から請求項３に記載のリラップ装置（１）。
【請求項５】
シャフト（３）の前方にバルーン（２）を装着し、シャフト（３）の後方に保護カバー５を装着し、シャフト（３）の後端にコネクタ（４）を装着し、
前記シャフト（３）上を移動して、前記バルーン（２）と保護カバー（５）に着脱可能なリラップ装置１を、前記バルーン（２）または前記保護カバー（５）に装着したことを特徴とするバルーンカテーテル（１０）。
【請求項６】
シャフト（３）の前方にバルーン（２）を装着し、シャフト（３）の後方に保護カバー（５）を装着し、シャフト（３）の端にコネクタ（４）を装着し、
前記シャフト（３）上を移動して、前記バルーン（２）と保護カバー（５）に着脱可能なリラップ装置（１）を、前記バルーン（２）または前記保護カバー（５）に装着し、
前記リラップ装置（１）は、略円筒状に形成され、本体（１Ｈ）の両端部または一端部に拡径部（１Ｋ）を形成し、
本体（１Ｈ）の一端部を、バルーンカテーテル（１０）のシャフト（３）の保護カバー（４）端部に圧入して、着脱できるように形成したことを特徴とするバルーンカテーテル（１０）。
【請求項７】
シャフト（３）の前方にバルーン（２）を装着し、シャフト（３）の後方に保護カバー（５）を装着し、シャフト（３）の後端にコネクタ（４）を装着し、
前記シャフト（３）上を移動して、前記バルーン（２）と保護カバー（５）に着脱可能なリラップ装置（１）を、前記バルーン（２）または前記保護カバー（５）に装着し、
前記リラップ装置（１）は、略円筒状に形成され、本体（１Ｈ）の両端部または一端部に拡径部（１Ｋ）を形成し、
拡径部（１Ｋ）の一端部に、コネクタ（４）に形成したフック（６）を係止して、着脱できるように形成したことを特徴とするバルーンカテーテル（１０）。
【請求項８】
シャフト（３）の前方にバルーン（２）を装着し、シャフト（３）の後方に保護カバー（５）を装着し、シャフト（３）の後端にコネクタ（４）を装着し、
前記シャフト（３）上を移動して、前記バルーン（２）と保護カバー（５）に着脱可能なリラップ装置（１）を、前記バルーン（２）または前記保護カバー（５）に装着し、
前記リラップ装置（１）は、略円筒状に形成され、本体（１Ｈ）の両端部または一端部に拡径部（１Ｋ）を形成し、
リラップ装置（１）の本体（１Ｈ）ないし拡径部（１Ｋ）の内側に、嵌合部ないし係合部を形成し、当該嵌合部ないし係合部を、保護カバー（５）先端部の嵌合部ないし係合部と嵌合ないし係合して、着脱できるように形成したことを特徴とするバルーンカテーテル（１０）。
【請求項９】
シャフト（３）の前方にバルーン（２）を装着し、シャフト（３）の後方に保護カバー（５）を装着し、シャフト（３）の端にコネクタ（４）を装着し、
前記シャフト（３）上を移動して、前記バルーン（２）と保護カバー（５）に着脱可能なリラップ装置（１）を、前記バルーン（２）または前記保護カバー（５）に装着し、
前記リラップ装置（１）は、略円筒状に形成され、本体（１Ｈ）の両端部または一端部に拡径部（１Ｋ）を形成し、
シャフト（３）ないし保護カバー（５）上に、スライド可能な固定部材を配置するか、または後付け可能な固定部材で、前記リラップ装置（１）を、シャフト（３）ないし保護カバー（５）上に固定できるように形成した、ことを特徴とするバルーンカテーテル（１０）。
【請求項１０】
前記バルーン（２）にバルーンカバー（２１）、前記保護カバー（５）にリラップ装置（１）を装着したことを特徴とする請求項５から請求項９に記載のバルーンカテーテル（１０）。
【請求項１１】
リラップ装置（１）を潤滑性及び柔軟性のある材料で形成したことを特徴とする請求項５から請求項１０に記載のバルーンカテーテル（１０）。
【請求項１２】
リラップ装置（１）内面を潤滑剤でコーティングしたことを特徴とする請求項５から請求項１１に記載のバルーンカテーテル（１０）。
【考案の詳細な説明】
【技術分野】
【０００１】
本考案はバルーンカテーテルのバルーンのスライド式のリラップ（再折りたたみ）装置及びバルーンカテーテルの改良に関するものである。より詳しくは、拡張後のバルーンを、再度折りたたむ必要が生じた際でも、特段の技術を必要とせず、容易かつ確実に折りたためるようにするためのものである。
【背景技術】
【０００２】
心筋梗塞などの、血管が狭くなったり詰まったりする病気の治療の一つとして、バルーンカテーテルを使用する方法がある。
バルーンカテーテルは先端にバルーンが装着されており、加圧器によって液体を送り込むことでバルーンを拡張する。このバルーンの拡張により血管内の狭窄部や閉塞部などを血管内部から押し広げて血流を回復させる。
このバルーンカテーテルにおいて、出荷時や保管時などにバルーンが広がったり破れたりすることを防ぐために、通常、図６（Ａ）のように、バルーンカテーテルのバルーンの部分は保護用のカバー（バルーンカバー）で覆われている。保護用のカバーは、一般的にストローあるいは両端がラッパ状に広がったような円筒型の形状で、バルーンカテーテル使用時には図６（Ｂ）のように先端方向から抜いて外す。外したバルーンカバーは、術者の側に置いておくか、もしくは廃棄する場合もある。
ところが、体内に挿入したバルーンカテーテルのバルーンを拡張した際、バルーンが狭窄部などの目的の位置で拡張しなかったり、狭窄部が上手く押し広げられなかったりすることがあり、その場合、バルーンカテーテルを一度体外に出してからバルーンを元のようにたたみ直し、再度体内の目的部位へと挿入してバルーンの拡張を行うこととなる。
【０００３】
従来の方法では、一旦拡張させたバルーンをリラップ（再折りたたみ）する場合には、直接手指で折りたたむか、あるいはバルーンカバーの両端をラッパ状に膨らましたものであれば、これを外（バルーンカバーを抜き取った先端方向）から挿入して、場合によってはやや強引に、再び折りたたんでいる。しかし、外したバルーンカバーは、なくしたり、不用意に床などに落としたりして不衛生になり、バルーンカバーが必要なときに速やかに使用することができない場合があり得る。
【０００４】
特許文献１には、煩雑な作業を伴わず、かつ、特にフラッシング（生理食塩液等で洗浄することにより、凝血等の発生を防止する）の際にバルーンカテーテル先端部の損傷や変形を生じさせないバルーンカテーテル用保護部材１が記載されている。この保護部材１における保護管部２の先端部内腔５ａは、バルーンを挿入しやすいように、先端に向けて拡径するテーパー形状に形成されている。
【０００５】
特許文献１の保護具１は、バルーンカテーテルのバルーンを含む先端部を被覆保護すると同時に、容易にフラッシング作業を行うことができるという、従来にはない、バルーンカバーの利用可能性を高めた発明となっている。
しかし、フラッシング作業を終え、バルーンカテーテルを使用する際には、保護具１は従来のバルーンカバーと同様に先端方向へ取り外されてしまうため、保護具１を落としたり紛失したりする可能性があり、再使用の事態が発生した場合でも従来と同様、臨機に対応することができない。
【特許文献１】特開２００１−７９０９３（［００１１］、図１）
【考案の開示】
【考案が解決しようとする課題】
【０００６】
バルーンカテーテルを再び使用する場合に、バルーンが元のように小さく折りたためない点、また、バルーンを小さく折りたたむ方法として有効な、一度外したバルーンカバーをもう一度バルーンに被せる場合、従来はバルーンカバーをバルーンカテーテル本体から取り外してしまうことで、バルーンカバーを再びバルーンに被せる時に、バルーンカバーがなくなっていたり、不衛生になったりする点である。
【課題を解決するための手段】
【０００７】
そこで本考案者は以上の課題を解決するために鋭意検討を重ねた結果、以下の考案に到達した。
［１］本考案は、略円筒状に形成され、本体（１Ｈ）の両端部または一端部に拡径部（１Ｋ）を形成し、
潤滑性及び柔軟性のある材料で形成し、
本体（１Ｈ）の一端部を、バルーンカテーテル（１０）のシャフト（３）の保護カバー（４）端部に圧入して、着脱できるように形成したリラップ装置（１）を提供する。
［２］本考案は、略円筒状に形成され、本体（１Ｈ）の両端部または一端部に拡径部（１Ｋ）を形成し、
潤滑性及び柔軟性のある材料で形成し、
前記拡径部（１Ｋ）の一端部に、バルーンカテーテル（１０）のコネクタ（４）に形成したフック（６）を係止して、着脱できるように形成したリラップ装置（１）を提供する。
［３］本考案は、略円筒状に形成され、本体（１Ｈ）の両端部または一端部に拡径部（１Ｋ）を形成し、
潤滑性及び柔軟性のある材料で形成し、
リラップ装置（１）の本体（１Ｈ）ないし拡径部（１Ｋ）の内側に、嵌合部ないし係合部を形成し、当該嵌合部ないし係合部を、保護カバー（５）先端部の嵌合部ないし係合部と嵌合ないし係合して、着脱できるように形成したリラップ装置（１）を提供する。
［４］本考案は、内面を潤滑剤でコーティングした［１］から［３］に記載のリラップ装置（１）を提供する。
［５］本考案は、シャフト（３）の前方にバルーン（２）を装着し、シャフト（３）の後方に保護カバー５を装着し、シャフト（３）の後端にコネクタ（４）を装着し、
前記シャフト（３）上を移動して、前記バルーン（２）と保護カバー（５）に着脱可能なリラップ装置１を、前記バルーン（２）または前記保護カバー（５）に装着したバルーンカテーテル（１０）を提供する。
［６］本考案は、シャフト（３）の前方にバルーン（２）を装着し、シャフト（３）の後方に保護カバー（５）を装着し、シャフト（３）の端にコネクタ（４）を装着し、
前記シャフト（３）上を移動して、前記バルーン（２）と保護カバー（５）に着脱可能なリラップ装置（１）を、前記バルーン（２）または前記保護カバー（５）に装着し、
前記リラップ装置（１）は、略円筒状に形成され、本体（１Ｈ）の両端部または一端部に拡径部（１Ｋ）を形成し、
本体（１Ｈ）の一端部を、バルーンカテーテル（１０）のシャフト（３）の保護カバー（４）端部に圧入して、着脱できるように形成したバルーンカテーテル（１０）を提供する。
［７］本考案は、シャフト（３）の前方にバルーン（２）を装着し、シャフト（３）の後方に保護カバー（５）を装着し、シャフト（３）の後端にコネクタ（４）を装着し、
前記シャフト（３）上を移動して、前記バルーン（２）と保護カバー（５）に着脱可能なリラップ装置（１）を、前記バルーン（２）または前記保護カバー（５）に装着し、
前記リラップ装置（１）は、略円筒状に形成され、本体（１Ｈ）の両端部または一端部に拡径部（１Ｋ）を形成し、
拡径部（１Ｋ）の一端部に、コネクタ（４）に形成したフック（６）を係止して、着脱できるように形成したバルーンカテーテル（１０）を提供する。
［８］本考案は、シャフト（３）の前方にバルーン（２）を装着し、シャフト（３）の後方に保護カバー（５）を装着し、シャフト（３）の後端にコネクタ（４）を装着し、
前記シャフト（３）上を移動して、前記バルーン（２）と保護カバー（５）に着脱可能なリラップ装置（１）を、前記バルーン（２）または前記保護カバー（５）に装着し、
前記リラップ装置（１）は、略円筒状に形成され、本体（１Ｈ）の両端部または一端部に拡径部（１Ｋ）を形成し、
リラップ装置（１）の本体（１Ｈ）ないし拡径部（１Ｋ）の内側に、嵌合部ないし係合部を形成し、当該嵌合部ないし係合部を、保護カバー（５）先端部の嵌合部ないし係合部と嵌合ないし係合して、着脱できるように形成したバルーンカテーテル（１０）を提供する。
［９］本考案は、シャフト（３）の前方にバルーン（２）を装着し、シャフト（３）の後方に保護カバー（５）を装着し、シャフト（３）の端にコネクタ（４）を装着し、
前記シャフト（３）上を移動して、前記バルーン（２）と保護カバー（５）に着脱可能なリラップ装置（１）を、前記バルーン（２）または前記保護カバー（５）に装着し、
前記リラップ装置（１）は、略円筒状に形成され、本体（１Ｈ）の両端部または一端部に拡径部（１Ｋ）を形成し、
シャフト（３）ないし保護カバー（５）上に、スライド可能な固定部材を配置するか、または後付け可能な固定部材で、前記リラップ装置（１）を、シャフト（３）ないし保護カバー（５）上に固定できるように形成したバルーンカテーテル（１０）を提供する。
［１０］本考案は、前記バルーン（２）にバルーンカバー（２１）、前記保護カバー（５）にリラップ装置（１）を装着した［５］から［９］に記載のバルーンカテーテル（１０）を提供する。
［１１］本考案は、リラップ装置（１）を潤滑性及び柔軟性のある材料で形成した［５］から［１０］に記載のバルーンカテーテル（１０）を提供する。
［１２］本考案は、リラップ装置（１）内面を潤滑剤でコーティングした［５］から［１１］に記載のバルーンカテーテル（１０）を提供する。
【考案の効果】
【０００８】
バルーンカテーテルに、本考案のリラップ装置１を用いることにより、以下の効果が得られる。
（１）バルーン２のリラップ精度が向上し、体内への再挿入を容易にすることができる。
（２）バルーンカテーテル１０は通常、凝血等を防止するために体内挿入の際はフラッシング（あらかじめ生理食塩液に浸している）されるが、リラップ装置１を移動させることで、フラッシング時にシャフト３及びバルーン２に付着した余分な生理食塩液を拭い取ることが可能である。
（３）再使用時に、バルーン２をリラップするために、リラップ装置１がシャフト３上を通過することで、シャフト３及びバルーン２の余分な付着物（例えば使用開始時には、生理食塩液、再使用の際には、血液等）を拭い取ることができる。
【考案を実施するための最良の形態】
【０００９】
図１は、本考案のリラップ装置１を用いたバルーンカテーテル１０の概略図（一部断面図）、図２はリラップ装置１とバルーンカバー２１を併用したバルーンカテーテル２０の概略図（一部断面図）、図３（Ａ）は本考案のリラップ装置１を用いたバルーンカテーテル使用時の状態図、（Ｂ）は本考案のリラップ装置１を用いたリラップ時の状態図（一部断面図）、図４（Ａ）（Ｂ）は本考案のリラップ装置の一例を示す概略図、図５は（Ａ）、（Ｂ）は本考案のリラップ装置の固定手段の一例を示す概略図（（Ａ）はリラップ装置１と保護カバー５の圧着による固定、（Ｂ）はコネクター４に取りつけたフック６を用いた係止による固定、（Ｃ）はリラップ装置１と保護カバー５に形成した溝部Ｍと突部Ｔの嵌合による固定）である。
【００１０】
［リラップ装置１］
本考案のリラップ装置１は、図１から図５に例示するように、略円筒状に形成され、本体１Ｈの両端部または一端部に拡径部１Ｋを形成している。このように拡径部１Ｋを形成することで、バルーン３を容易に通過させることができる。
本考案のリラップ装置１は、バルーン２のカバーとしての機能に加えて、一度拡張したバルーン２を再び折りたたむ必要がある場合に、バルーン２の折りたたみを容易・確実に行える機能を有する。さらに、リラップ装置１がシャフト３上を移動することで、シャフト３及びバルーン２の余分な付着物（例えば使用開始時には、生理食塩液、再使用の際には、血液等）を拭い取ることもできる。
本考案のリラップ装置１は、シャフト上をスムーズに移動でき、かつバルーンを巻きやすく（折りたたみやすく）するとともに、シャフトやバルーンを傷つけることのないように、潤滑性と柔軟性を備えた材料で形成するのが好ましい。潤滑性と柔軟性が得られる材料としては、ポリプロピレン、ポリエチレン、ポリエチレンテレフタレート（ＰＥＴ）、ナイロン等が挙げられるが、本考案の目的を達成できるものであれば何でも良い。さらに潤滑性を高めるために、リラップ装置１の内面を潤滑剤でコーティングしてもよい。潤滑剤として、ＰＶＰ（ポリビニルピロリドン）、無水マレイン酸等が挙げられるが、本考案の目的を達成できるものであれば何でも良い。
リラップ装置１は、例えば、チューブを押出成形したあと、端部をラッパ形状に加工するか、もしくは射出成形により製造することができる。
【００１１】
［リラップ装置１の固定］
リラップ装置１は、バルーンカテーテル使用時に、シャフト３の保護カバー５の先端位置まで移動させたとき、保護カバー５の先端位置で一時的に固定できるように形成する。リラップ装置１が一時的に固定できることで、手技中などにも不用意に動くことはなく、手技の邪魔にならないので、バルーンカテーテル１０の使い勝手はさらに向上する。リラップ装置１の保護カバー５への固定の手段は、着脱可能な（一度固定しても、取り外してシャフト３上を移動可能）な固定手段を用いる。要するに、リラップ装置１が保護カバー５に確実に固定でき、かつバルーンカテーテル１０の再使用時に備えて容易に外すことができればよい。
【００１２】
本考案のリラップ装置１の具体的な固定手段の一例を、以下に述べる。
（１）リラップ装置１と保護カバー５の圧着
リラップ装置１と保護カバー５を、相互に圧着できる材料により形成する。
弾性を有する材料（例えばポリプロピレン、ポリエチレン等）により形成したリラップ装置１に、同様に弾性を有する材料（例えばエラストマー系材料）により形成した保護カバー５を圧着する。
リラップ装置１と保護カバー５の双方が弾性を有する材料で形成されているので、図５（Ａ）に例示するように、リラップ装置１の本体１Ｈの先端部を保護カバー５へ圧入すると、双方の弾性により双方の接触部７が圧着し、これにより固定することができる。
（２）リラップ装置１とコネクタ４の係止
図５（Ｂ）に例示するように、コネクタ４の上部に延設したフック６の爪６Ｔを、リラップ装置１の（コネクタ側の）拡径部１Ｋの一端部に係止して固定することができる。図５（Ｂ）のフック６の形態（数、形状）は、あくまでも例示であり、リラップ装置１に係止して固定することができるものであれば、何でも良い。フック６はリラップ操作等の邪魔にならない程度の形状、大きさであればよい。
拡径部１Ｋには、フック６の爪６Ｔが係止しやすいように、（係止）溝を形成しても良い。
（３）リラップ装置１と保護カバー５の嵌合（係合）
図５（Ｃ）に例示するように、リラップ装置１の（本体１Ｈないし拡径部１Ｋ）内側と保護カバー５の先端部の外側の双方が接する位置に、それぞれ嵌合部または係合部（具体的には、相互に嵌合ないし係合する溝部）を形成し、それらが嵌合（係合）することによって固定することもできる。
図５（Ｃ）の例示では、拡径部１Ｋ側に溝部Ｍ、保護カバー５側に突部Ｔを形成しているが、これらの溝部と突部は、リラップ装置１と保護カバー５のどちら側にも形成しても良い（リラップ装置１に溝部を形成した場合は、保護カバー５に突部、リラップ装置１に突部を形成した場合には保護カバー５に溝部を形成する）。
なおリラップ装置１に突部を形成する場合は、シャフト３やバルーン２上を通過する際の妨げにならないように、拡径部１Ｋの保護カバー５に接することのできる位置に形成するのが好ましい。
（４）リラップ装置１の（別部品からなる）固定部材による固定
リラップ装置１の他の固定手段として、シャフト３ないし保護カバー５上に、スライド可能な固定部材を配置するか、または後付け可能な固定部材で、リラップ装置１を、シャフト３ないし保護カバー５上に固定できるようにすることができる。
（ａ）例えばシャフト３ないし保護カバー５上に、スライド可能な固定手段として、回転により、リラップ装置１を、シャフト３ないし保護カバー５に締め付けて固定できる螺子突起を内面に有する固定部材（筒状ないしリング状のものを両方含む）、
（ｂ）例えばシャフト３ないし保護カバー５上に、スライド可能ないし後付け可能な固定手段として、前記したフック６、爪６Ｔ、突部Ｔ、溝部Ｍ等を形成した固定部材（筒状ないしリング状のものを両方含む）等が挙げられる。
以上、（１）〜（４）の固定手段は一例であり、これらに限定されることはない。
【００１３】
［リラップ装置１とバルーンカバー２１の併用］
本考案のリラップ装置１は、図２に示すように、バルーンカバー２１と併用することもできる。この場合は、バルーンカテーテル２０使用時にバルーンカバー２１を先端から外し、再使用が必要な状況の時に、保護カバー５に固定されていたリラップ装置１の固定を解除して、リラップ装置１をバルーン２の位置まで移動させ、バルーン２を折りたたむ。このバルーンカテーテル２０の構成の場合、バルーンを保護する機能がバルーンカバー２１のみに分離している以外、リラップ装置１の形状、構造、作用及び使用方法等は、リラップ装置１とほぼ同様である。
【００１４】
［使用方法の一例］
以下、本考案のリラップ装置１を装着したバルーンカテーテル１０のリラップ時の使用方法について説明する。
（１）バルーンカテーテル１０を使用するために、バルーン２を覆っていたリラップ装置１をバルーン２上から外す。その際、リラップ装置１は先端から抜き取らずに、図３（Ａ）のようにシャフト３上を滑らせて移動させ、手元のコネクタ４側にスライドさせる。再挿入によるリラップ（再折りたたみ）を行う手技が発生するまで、リラップ装置１は保護カバー５に固定して待機させる。
（２）リラップを必要とする手技が発生した場合に、保護にカバー５に固定して待機させていたリラップ装置１をシャフト３上を滑らせて、図３（Ｂ）のようにバルーン２の位置まで移動させる。リラップ装置１がバルーン２の位置を通過した時点で、リラップ精度の高いバルーン２が完成される。
（３）（２）のリラップと同時に、リラップ装置１がバルーンカテーテル１０のシャフト３及びバルーン２上を通過することにより、一度体内へ挿入した際にシャフト３及びバルーン２に付着した血液や、または洗浄用などに使用した生理食塩液を拭い取ることができる。したがって、バルーンカテーテル１０を別途洗浄したり、付着物を拭い取ったりする手間や時間が必要なく、速やかに作業が継続できる。
【図面の簡単な説明】
【００１５】
【図１】本考案のリラップ装置１を用いたバルーンカテーテル１０の概略図（一部断面図）
【図２】本考案のその他のバルーンカバー２１を具備するリラップ装置１１を用いたバルーンカテーテル２０の概略図（一部断面図）
【図３】（Ａ）は本考案のリラップ装置を用いたバルーンカテーテル使用時の状態図、（Ｂ）は本考案のリラップ装置１を用いたリラップ時の状態図（一部断面図）
【図４】（Ａ）、（Ｂ）は本考案のリラップ装置の一例
【図５】（Ａ）、（Ｂ）、（Ｃ）は本考案のリラップ装置の固定手段の一例
【図６】（Ａ）は従来のバルーンカバーを用いたバルーンカテーテルの概略図、（Ｂ）は従来のバルーンカバーを外したところの概略図（一部断面図）
【符号の説明】
【００１６】
１  リラップ装置
１Ｈ  本体
１Ｋ  拡径部
２  バルーン
３  シャフト
４  コネクタ
５  （シャフトの）保護カバー
６  フック
６Ｔ  爪
７  接触部
Ｔ  突部
Ｍ  溝部
１０、５０  バルーンカテーテル
２１、７１  バルーンカバー
【図１】
0003115667.tif 000003
【図２】
0003115667.tif 000004
【図３】
0003115667.tif 000005
【図４】
0003115667.tif 000006
【図５】
0003115667.tif 000007
【図６】
0003115667.tif 000008